(57)【要約】【課題】夜間において養蜂箱に侵入する蛾等を防ぎつつ、日中においてのミツバチの活動を妨げない自動シャッタ構造を備えた養蜂箱及び分蜂箱を用いて捕獲したミツバチを空の養蜂箱に移す方法を提供する。【解決手段】自動シャッタ構造付きの養蜂箱であって、自動シャッタ構造は、前記出入り口を開閉するシャッタ機構と、シャッタ機構を駆動する電気モータと、電気モータを駆動してシャッタ機構を所定の時間に開閉作動させる制御部と、電気を供給する電源部を備える。【選択図】図１
2017108635.tif 000002
【特許請求の範囲】
【請求項１】
養蜂箱は、複数の巣枠を配列するための内部空間を有しつつ上方開放した箱本体と、上方開口の箱本体を開閉自在とした箱蓋と、箱本体に形成したミツバチが出入りする出入り口に自動シャッタ構造を有し、
自動シャッタ構造は、出入り口を開閉するシャッタ機構と、シャッタ機構を駆動する電気モータと、電気モータを駆動してシャッタ機構を所定の時間に開閉作動させる制御部と、電気を供給する電源部を備え、
制御部は、シャッタ機構の動作時間を設定するタイマー部と、所定の時間に達した場合にタイマー部からの作動信号に基づいて、電気モータを回転自在に制御するモータ制御部と、シャッタ機構の開閉動作を停止するリミットスイッチを備える
ことを特徴とする自動シャッタ構造を備えた養蜂箱。
【請求項２】
箱本体は下方開放して、箱本体の下方を開閉自在に載置台に載置し、載置台には、箱本体の内部に外気を導入する通気導入路が形成される
ことを特徴とする請求項１に記載の自動シャッタ構造を備えた養蜂箱。
【請求項３】
箱蓋には箱本体内部に通気する箱蓋用通気孔を形成した
ことを特徴とする請求項１又は請求項２に記載の自動シャッタ構造を備えた養蜂箱。
【請求項４】
分蜂したミツバチを捕獲する分蜂箱と養蜂箱で用いる巣枠を同一形状に構成し、分蜂箱で捕獲したミツバチを自動シャッタ構造つきの空の養蜂箱に移す際に、営巣した分蜂箱の巣枠を養蜂箱に移すことを特徴とする分蜂箱を用いて捕獲したミツバチを空の養蜂箱に移す方法。
【発明の詳細な説明】
【技術分野】
【０００１】
この発明は、自動シャッタ構造を備えた養蜂箱及び分蜂箱を用いて捕獲したミツバチを空の養蜂箱に移す方法に関する。
【背景技術】
【０００２】
従来より養蜂は、養蜂業者がミツバチの入った養蜂箱を野原や山地に設置して、ミツバチが花の蜜を養蜂箱まで運び、養蜂業者が蜜を集めるものであった。養蜂箱は、所定の箇所にミツバチの出入り口を形成し、その内部に巣枠を設けた構造である。ミツバチの出入り口は、単にミツバチが出入りできる隙間に形成されている。
【０００３】
この出入り口に、養蜂箱を運搬する際に養蜂箱内のミツバチが飛び出さないように扉を設けたものであった（特許文献１参照）。
【先行技術文献】
【特許文献】
【０００４】
【特許文献１】特開２００１−１３６８６０号公報
【発明の概要】
【発明が解決しようとする課題】
【０００５】
養蜂において、スズメバチ等の大型の蜂による捕食問題の他に、夜間にハチノスツヅリガが養蜂箱内入りこみ、その幼虫が蜜蝋を食べてしまい、結果的にミツバチが養蜂箱から出て行ってしまうことがあった。
そこで、上記特許文献１のように養蜂箱の入り口に扉を設けることで、蛾の箱内への侵入を防ぐことができる。しかしながら、養蜂業者は、ミツバチが活動を開始する早朝に扉を手動で開き、また、夜間においては蛾の侵入を防ぐために扉を手動で閉める作業は非常に煩雑であり、さらに、養蜂箱を山間部に設置している場合には毎日朝と夜に養蜂業者が徒歩や車で移動する手間も増えることから扉の開閉作業を手間なく行えることが望まれていた。
【０００６】
この発明では、夜間において養蜂箱に侵入する蛾等を防ぎつつ、日中においてのミツバチの活動を妨げない自動シャッタ構造を備えた養蜂箱及び分蜂箱を用いて捕獲したミツバチを空の養蜂箱に移す方法を提供するものである。
【課題を解決するための手段】
【０００７】
請求項１の発明は、養蜂箱は、複数の巣枠を配列するための内部空間を有しつつ上方開放した箱本体と、上方開口の箱本体を開閉自在とした箱蓋と、箱本体に形成したミツバチが出入りする出入り口に自動シャッタ構造を有し、自動シャッタ構造は、出入り口を開閉するシャッタ機構と、シャッタ機構を駆動する電気モータと、電気モータを駆動してシャッタ機構を所定の時間に開閉作動させる制御部と、電気を供給する電源部を備え、制御部は、シャッタ機構の動作時間を設定するタイマー部と、所定の時間に達した場合にタイマー部からの作動信号に基づいて、電気モータを回転自在に制御するモータ制御部と、シャッタ機構の開閉動作を停止するリミットスイッチを備えることを特徴とする自動シャッタ構造を備えた養蜂箱を提供する。
【０００８】
請求項２の発明は、箱本体は下方開放して、箱本体の下方を開閉自在に載置台に載置し、載置台には、箱本体の内部に外気を導入する通気導入路が形成されることを特徴とする。
【０００９】
請求項３の発明は、箱蓋には箱本体内部に挿通する箱蓋用通気孔を形成したことを特徴とする。
【００１０】
請求項４の発明は、分蜂したミツバチを捕獲する分蜂箱と養蜂箱で用いる巣枠を同一形状に構成し、分蜂箱で捕獲したミツバチを自動シャッタ構造つきの空の養蜂箱に移す際に、営巣した分蜂箱の巣枠を養蜂箱に移すことを特徴とする分蜂箱を用いて捕獲したミツバチを養蜂箱に移す方法を提供とする。
【発明の効果】
【００１１】
請求項１の発明によれば、養蜂箱は、複数の巣枠を配列するための内部空間を有しつつ上方開放した箱本体と、上方開口の箱本体を開閉自在とした箱蓋と、箱本体に形成したミツバチが出入りする出入り口に自動シャッタ構造を備えるので、夕刻の所定の時間になると制御部が電気モータを駆動してシャッタ機構を閉じることで、夜間、蛾が養蜂箱に侵入するのを防ぎつつ、また、早朝の所定時間になると制御部が電気モータを駆動してシャッタ機構を開き、日中においてのミツバチが養蜂箱から出て活動することを妨げない効果を得ることができる。朝晩において養蜂業者が養蜂箱のシャッタの開閉を行う手間を省くことができる。また、制御部は、シャッタ機構の動作時間を設定するタイマー部と、所定の時間に達した場合にタイマー部からの作動信号に基づいて、電気モータを回転自在に制御するモータ制御部と、シャッタ機構の開閉動作を停止するリミットスイッチを備えるので、コンパクトな機構に構成することができ、かかる機構により電気モータの駆動制御を行え、シャッタ機構をタイマー部で設定した時間の通りに開閉作動することができる。
【００１２】
請求項２の発明によれば、箱本体は下方開放して、箱本体の下方を開閉自在に載置台に載置し、載置台には、箱本体の内部に外気を導入する通気導入路が形成されるので、夏季において、通気導入路に外気を通気して養蜂箱内の温度を下げることができ、また、冬季において、通気導入路を閉じることで養蜂箱内の温度を保つことができる。
【００１３】
請求項３の発明によれば、箱蓋には箱本体内部に通気する箱蓋用通気孔を形成したので、通気導入路を通して養蜂箱に通気し、箱蓋用通気孔から外に通気することができる。
【００１４】
請求項４の発明によれば、分蜂したミツバチを捕獲する分蜂箱と養蜂箱で用いる巣枠を同一形状に構成し、分蜂箱で捕獲したミツバチを空の養蜂箱に移す際に、営巣した分蜂箱の巣枠を自動シャッタ構造つきの養蜂箱に移すので、空の養蜂箱に営巣した巣枠を移すことで分蜂を簡単に行うことができる。また、従来のように分蜂群のミツバチが空の養蜂箱で営巣する期間をなくす効果がある。すぐに、分蜂箱から養蜂箱に分蜂群のミツバチを単に移しただけで、養蜂箱に営巣する期間を待つことなく、他の養蜂業者に販売することができる。
【図面の簡単な説明】
【００１５】
【図１】自動シャッタ構造を備えた養蜂箱を示す斜視図。
【図２】（ａ）自動シャッタ構造の開状態を示す正面図。（ｂ）自動シャッタ構造の開状態を示す正面図。
【図３】（ａ）シャッタ板を示す斜視図。（ｂ）他のシャッタ板を示す斜視図。
【図４】シャッタ構造の回路図。
【図５】シャッタ構造を備えた養蜂箱を示す分解斜視図。
【図６】載置箱を示す斜視図。
【図７】シャッタ構造を備えた養蜂箱を示す左側面。
【図８】（ａ）巣枠を示す斜視図。（ｂ）巣枠の使用状態を示す側面図。
【図９】シャッタ構造を備えた養蜂箱を示す断面図。
【図１０】（ａ）養蜂箱の夏季の使用状態を示す側面面。（ｂ）養蜂箱の冬季の使用状態を示す側面面。
【図１１】分蜂箱を用いて捕獲したミツバチを空の養蜂箱に移す方法を説明する模式図。
【発明を実施するための形態】
【００１６】
本実施形態の自動シャッタ構造を備えた養蜂箱は、養蜂箱は、複数の巣枠を配列するための内部空間を有しつつ上方開放した箱本体と、上方開口の箱本体を開閉自在とした箱蓋と、箱本体に形成したミツバチが出入りする出入り口に自動シャッタ構造を有し、養蜂箱用自動シャッタ構造は、出入り口を開閉するシャッタ機構と、シャッタ機構を駆動する電気モータと、電気モータを駆動してシャッタ機構を所定の時間に開閉作動させる制御部と、電気を供給する電源部を備え、制御部は、シャッタ機構の動作時間を設定するタイマー部と、所定の時間に達した場合にタイマー部からの作動信号に基づいて、電気モータを回転自在に制御するモータ制御部と、シャッタ機構の開閉動作を停止するリミットスイッチを備える
【００１７】
また、箱本体は下方開放して、箱本体の下方を開閉自在に載置台に載置し、載置台には、箱本体の内部に外気を導入する通気導入路が形成される。
【００１８】
また、箱蓋には箱本体内部に挿通する箱蓋用通気孔を形成した。
【００１９】
本実施形態の分蜂箱を用いて捕獲したミツバチを養蜂箱に移す方法は、分蜂したミツバチを捕獲する分蜂箱と養蜂箱で用いる巣枠を同一形状に構成し、分蜂箱で捕獲したミツバチを自動シャッタ構造つきの空の養蜂箱に移す際に、営巣した分蜂箱の巣枠を養蜂箱に移して分蜂することを特徴とする分蜂箱を用いて捕獲したミツバチを養蜂箱に分蜂する。
【００２０】
以下に、本発明に好適な実施形態について図面に基づいて説明する。
図１は自動シャッタ構造を備えた養蜂箱を示す斜視図、図２（ａ）は自動シャッタ構造の開状態を示す正面図、図２（ｂ）は自動シャッタ構造の開状態を示す正面図、図３（ａ）はシャッタ板を示す斜視図、図３（ｂ）は他のシャッタ板を示す斜視図、図４はシャッタ構造の回路図、図５はシャッタ構造を備えた養蜂箱を示す分解斜視図、図６は載置箱を示す斜視図、図７はシャッタ構造を備えた養蜂箱を示す左側面、図８（ａ）は巣枠を示す斜視図、図８（ｂ）は巣枠の使用状態を示す側面図、図９はシャッタ構造を備えた養蜂箱を示す断面図、図１０（ａ）は養蜂箱の夏季の使用状態を示す側面面、図１０（ｂ）は養蜂箱の冬季の使用状態を示す側面面、図１１は分蜂箱を用いて捕獲したミツバチを空の養蜂箱に分蜂する方法を説明する模式図である。
【００２１】
［養蜂箱用自動シャッタ構造］
図１及び図２に示すように、自動シャッタ構造Ｋは、養蜂箱Ａの出入り口３４を開閉するシャッタ機構１２と、シャッタ機構１２を駆動する電気モータ２０と、電気モータ２０を駆動してシャッタ機構１２を所定の時間に開閉作動させる制御部２２と、電気を供給する電源部２７を備え、これらを箱形状のシャッタ本体１１に収納している。さらに、シャッタ本体１１には、防水仕様の本体カバー１１ａが取付けられる。
【００２２】
シャッタ機構１２は、左右のガイドレール１３，１３をシャッタ本体１１に配設して、断面コ字形状の左右のガイドレール１３，１３に沿ってシャッタ板１４を上下方向に開閉自在に構成している。シャッタ板１４には、ラック１７を配設し、電気モータ２０のモータ軸２０ａの端部には、ピニオン２１を配設して、ラックピニオン機構を構成している。
すなわち、シャッタ機構１２は、電気モータ２０の駆動力が伝達されてラックピニオン機構により上下方向に開閉作動することができる。
【００２３】
図３（ａ）に示すように、シャッタ板１４には、上下リミットスイッチ２５ａ，２５ｂに接触するための略断面Ｌ字形状の突起片１６を配設しており、下端縁部には、通気のための小径の板用孔１５を複数穿設している。
また、図３（ｂ）に示すようにシャッタ板１４の通気用孔１８は、通気量を増加させるため矩形の開口にメッシュ状の網を配設した構成であってもよい。
【００２４】
図４に示すように、制御部２２は、シャッタ機構１２の動作時間を設定するタイマー部２３と、電気モータ２０を回転自在に制御するモータ制御部２４と、シャッタ機構１２の開閉動作を停止するリミットスイッチ２５ａ，２５ｂを備えている。
【００２５】
タイマー部２３は、シャッタ機構１２を動作させる時間や日付を設定するものであり、設定した動作時間に達すると、タイマー部２３から作動信号をモータ制御部２４へ送信する。
【００２６】
モータ制御部２４は、シャッタ機構１２の電気モータ２０を制御するものであり、タイマー部２３からの作動信号に基づいて、２回路２接点リレースイッチ２８を切り替えて、電気モータ２０を正逆回転するように制御することができる。
なお、２回路２接点リレースイッチ２８を使用して電気モータ２０の正逆回転を制御するようにしたが、制御部２２内に２回路２接点リレースイッチ２８の機能を備えるようにしてもよい。
【００２７】
図２のリミットスイッチ２５ａ，２５ｂは、電気的に制御部２２に接続して、シャッタ本体１１内に配設している。
すなわち、シャッタ板１４の上昇作動を停止する上リミットスイッチ２５ａは、シャッタ本体１１内の上端部に配設している。また、シャッタ板１４の降下作動を停止する下リミットスイッチ２５ｂは、シャッタ本体１１内の下端部に配設している。
なお、上下リミットスイッチ２５ａ、２５ｂを用いて電気モータの駆動を停止するようにしたが、制御部を用いて電気モータを所定時間のみ始動してから停止するように制御してもよい。
【００２８】
電源部２７は、例えば、電池でもよいし、ＡＣ電源から供給される交流源をＡＣ−ＤＣ変換して供給するものでもよい。
【００２９】
次に自動シャッタ構造Ｋの作動時間の設定及び動作態様について説明する。
先ず、シャッタ機構１２の作動日時及び時間をタイマー部２３にセットする。例えば、夏季において、朝はシャッタ機構１２が開く時間を午前６時にセットして、夜はシャッタ機構１２が閉じる時間を午後７時にセットする。
【００３０】
タイマー部２３は、セット時間に達すると作動信号をモータ制御部２４に送信する。ここでシャッタ機構１２が閉状態から開状態へと作動する場合に、モータ制御部２４は、電気モータ２０を回転制御すると、電気モータ２０の駆動力を受けてラックピニオン機構によりシャッタ機構１２が上昇する。さらに、シャッタ機構１２が上昇すると、シャッタ板１４の突起片１６がシャッタ本体１１の上端部の上リミットスイッチ２５ａを押圧（オン）することで、モータ制御部２４は、電気モータ２０の回転を停止して、シャッタ機構１２の上昇を停止することとなる。
【００３１】
シャッタ機構１２を逆に作動する場合、すなわち、開状態から閉状態へと作動する場合に、モータ制御部２４は、電気モータ２０を回転制御すると、電気モータ２０の駆動力を受けてラックピニオン機構によりシャッタ機構１２が降下する。さらに、シャッタ機構１２が降下すると、シャッタ板１４の突起片１６がシャッタ本体１１の下端部の下リミットスイッチ２５ｂを押圧（オン）することで、モータ制御部２４は、電気モータ２０の回転を停止して、シャッタ機構１２の降下を停止することとなる。
【００３２】
かかる養蜂箱用自動シャッタ構造Ｋを養蜂箱のミツバチの出入り口を開閉するために設けることで、夕刻の所定の時間になると制御部２２が電気モータ２０を駆動してシャッタ機構１２を閉じることで、夜間、蛾が養蜂箱Ａに侵入するのを防ぎつつ、また、早朝の所定時間になると制御部２２が電気モータ２０を駆動してシャッタ機構１２を開き、日中においてのミツバチが養蜂箱Ａから出て活動することを妨げない効果を得ることができる。
【００３３】
なお、シャッタ構造の開閉時間は、タイマー部のセット時間で設定するようにしたが、朝夕の明るさを計測する照度部を設けるようにしてもよい。すなわち、照度部が朝夕の明るさを計測して、朝夕の明るさが所定の設定の閾値に達したら、制御部がシャッタ機構の開閉作動を行うように制御してもよい。
【００３４】
［養蜂箱］
図５に示すように、養蜂箱Ａは、箱本体３１と箱蓋３６と載置台５１とから構成されており、箱内部には巣枠４１を複数並設している。
【００３５】
箱本体３１は、上下開口した箱形状に構成しつつ、下方縁部には、ミツバチが出入りする出入り口３４を形成している。
また、上方開口部３２の内縁部には、段部３２ａを構成しており、段部３２ａには後述する略長方形の巣枠４１を複数架設可能な構造としている。さらに、箱本体３１の側部３１ａには、通気のための箱本体用通気孔３５が穿設されている。
なお、箱本体用通気孔は、箱本体の側部に穿設したが、その他、前後方向の側部の何れかに設けても良いし、左右方向の側部と前後方向の側部の両方を穿設するようにしてもよい。
【００３６】
図５及び図７に示すように箱蓋３６は、下方開口した箱形状に構成しており、蓋左右側部３７ａ，３７ｂのうち蓋左側部３７ａには、養蜂箱Ａ内の空気を通気するための箱蓋用通気孔３８が複数穿設されている。箱蓋用通気孔３８の直径は、略２ｍｍ〜５ｍｍとしており、ミツバチの外敵であるスズメバチ等が箱内に侵入できない大きさに穿設している。
なお、箱蓋用通気孔は、蓋左側部に穿設したが、その他、前後方向の蓋側部の何れかに設けても良いし、左右方向の蓋側部と前後方向の蓋側部の両方を穿設するようにしてもよい。
【００３７】
載置台５１は、箱本体３１の下方開口部３３を閉塞するとともに箱本体３１を載置するものであり、前後左右の板５６ａ，５６ｂ，５６ｃ，５６ｄ上に台用天板５２を連設して構成している。
【００３８】
載置台５１には、箱本体３１に空気を通気するための通気導入路を形成しており、通気導入路は、台用天板５２に開口した通気用天板窓５３と台用左板５６ｃに開口した通気用窓５７により構成される。
【００３９】
図６及び図９に示すように、台用天板５２の通気用天板窓５３には、ミツバチにとって天敵である虫の侵入を防ぐためのメッシュ体５３ａを架設しており、通気を必要としない場合には、通気用天板窓５３に天板窓用蓋５４を嵌め込んで箱本体３１への通気を防ぐように構成している。
【００４０】
さらに、台用左板５６ｃの通気用窓５７には、下方開閉自在の窓用蓋５８を連設しており、通気を必要としない場合には窓用蓋５８を通気用窓５７に嵌めこみ通気を防ぐように構成している。
【００４１】
［巣枠］
図８に示すように、巣枠４１は、上桟４２、下桟４３、左右桟４４，４５を長方形の枠に構成している。下桟４３の前後面の対角位置には、スペーサ４６を形成しており、これらスペーサ４６により配列した巣枠４１，４１同士の下端に隙間が形成される。
なお、スペーサ４６は、巣枠４１，４１同士に隙間を形成するためのものであり、左右桟或いは上桟に形成してもよい。図中符号４７は、巣枠４１，４１同士の隙間を形成するための上部桟である。また、上桟４２と上部桟４７とを一体構造にしてもよい。
養蜂箱で使用する巣枠と後述する分蜂箱で使用する巣枠とは、同一形状で同じ大きさに構成している。
【００４２】
さらに、図１及び図５に示すように、養蜂箱Ａのミツバチ出入り口３４の上方部分には、上述した自動シャッタ構造Ｋを備えることで、所望の時間になると、例えば、夕刻の所定の時間になると制御部２２が電気モータ２０を駆動してシャッタ機構１２を閉じることで、夜間、蛾が養蜂箱Ａに侵入するのを防ぎつつ、また、早朝の所定時間になると制御部２２が電気モータ２０を駆動してシャッタ機構１２を開き、日中においてのミツバチが養蜂箱Ａから出て活動することを妨げない効果を得ることができる。朝晩において養蜂業者が養蜂箱Ａのシャッタの開閉を行う手間を省くことができる。
【００４３】
［養蜂箱の通気機能］
養蜂箱は、夏季、冬季において通気機能を適宜変更することができる。
すなわち、図１０（ａ）に示すように、夏季において、載置台５１の天板窓用蓋５４を取り除き、次に、台用左板５６ｃの通気用窓５７から窓用蓋５８を開蓋する。さらに、箱本体３１の上方を閉蓋している箱蓋３６についても蓋左側部３７ａの箱蓋用通気孔３８と側部３１ａの箱本体用通気孔３５とを通気可能となるように一致することで、箱本体３１内と通気可能な構成としている。
【００４４】
下方の載置台５１の通気用窓５７から外気を導入して、通気用天板窓５３を介して養蜂箱Ａ内に通気され、巣枠４１，４１同士に形成した隙間を通気して、さらに、上方の箱蓋用通気孔３８を通気して養蜂箱Ａ内をミツバチに好適な温度に保つことが可能となる。
【００４５】
図１０（ｂ）に示すように、冬季において、夏季と逆の作業を行い、すなわち、載置台５１の天板窓用蓋５４を閉蓋し、台用左板５６ｃの通気用窓５７の窓用蓋５８を閉蓋する。さらに、箱本体３１の上方を閉蓋している箱蓋３６の蓋左側部３７ａの箱蓋用通気孔３８が箱本体３１内と通気できないように左右方向を反転することで、箱本体３１内の空気が箱蓋用通気孔３８を介して通気できなくなる。
かかる構成とすることで、養蜂箱Ａ内を外気にさらすことがなくなり、越冬するミツバチへの低温対策を行える効果がある。
【００４６】
［分蜂箱］
図１１に示すように、分蜂箱Ｂは、分蜂するミツバチを捕獲するために養蜂箱Ａのそばに設置して使用するものであり、分蜂箱本体６１と分蜂箱台６３と分蜂箱蓋６４と巣枠４１で構成している。
【００４７】
分蜂箱本体６１は、上下開口した箱形状に構成しつつ、下方縁部には、ミツバチが出入りする出入り口６２を形成している。また、上方開口部の縁部には、段部６１ａを構成して、段部６１ａには後述の巣枠４１を複数架設することができる。
【００４８】
分蜂箱台６３は、分蜂箱本体６１を載置するものであり、下方開口した箱形状に構成している。
【００４９】
分蜂箱蓋６４は、分蜂箱本体６１の上方を閉塞するものであり、略矩形状の天板６４ａと桟木６４ｂ，６４ｂで構成している。
【００５０】
巣枠４１は、上述した養蜂箱Ａで使用する巣枠４１と同一形状で構成しており、分蜂箱Ｂで営巣した巣枠４１を、養蜂箱Ａに移し易くしている。
【００５１】
［分蜂箱を用いて捕獲したミツバチを空の養蜂箱に移す方法］
先に従来の分蜂群の捕獲について説明する。
養蜂業者は、山間部や平地において、分蜂を行いそうな養蜂箱Ａの傍に分蜂箱Ｂを設置する。養蜂箱Ａから分蜂群が分蜂箱Ｂに営巣する。ここで、分蜂箱Ｂのミツバチを吸引装置により吸引して集めて、集めた分蜂群を空の養蜂箱Ａに移すことで従来の分蜂の捕獲と空の養蜂箱Ａへのミツバチの移動が完了する。その後、分蜂群Ｂは、養蜂箱Ａに営巣することとなる。
【００５２】
（１）本分蜂箱を用いて捕獲したミツバチを空の養蜂箱に移す方法について説明する。
先ず、山間部や平地において、分蜂を行いそうな養蜂箱Ａの傍に分蜂箱Ｂを設置する。分蜂箱Ｂの内部には、巣枠４１と上部桟４７とを交互に並べつつ両縁の段部にこれら巣枠４１と上部桟４７を架設している。
【００５３】
（２）この分蜂箱Ｂに養蜂箱Ａから分蜂したミツバチが営巣する。すなわち、ミツバチが分蜂箱Ｂの巣枠４１に営巣することとなる。
【００５４】
（３）自動シャッタ構造付きの空の養蜂箱Ａを準備する。空の養蜂箱Ａは、開蓋すると上方開口部３２の両縁に段部３２ａ，３２ａを形成しており、両段部３２ａ、３２ａの間には、巣枠４１や上部桟４７を架設することができる。ここで、分蜂箱Ｂと空の養蜂箱Ａで使用する巣枠４１や上部桟４７は、同一形状で且つ同じ大きさに構成している。
分蜂箱Ｂから営巣した分蜂ミツバチと巣枠４１とを空の養蜂箱Ａに移す。すなわち、自動シャッタ構造付きの空の養蜂箱Ａを開蓋して、上方開口部３２の両段部３２ａ、３２ａに分蜂箱Ｂから取り出した巣枠４１を架設する。巣枠４１には分蜂ミツバチが営巣しており、分蜂ミツバチや女王蜂を一緒に空の養蜂箱Ａに移すこととなる。
【００５５】
かかる分蜂箱Ｂの巣枠４１と空の養蜂箱Ａの巣枠４１の形状を共通形状としているので、分蜂箱Ｂの分蜂群を空の養蜂箱に巣枠４１ごと分蜂ミツバチ群を簡単に移すことができる。
従来の方法では、分蜂箱Ｂで捕獲した分蜂ミツバチを吸引装置で吸引して集めたのち、空の養蜂箱Ａに移して、分蜂ミツバチ群が養蜂箱Ａの巣枠に営巣するのを待つ必要があったが、本方法では、空の養蜂箱に移した分蜂群が営巣する時間的なロスを減らすことができる。よって、分蜂箱Ｂから養蜂箱Ａに分蜂ミツバチ群を移しただけで、他の養蜂業者に販売することができ、養蜂箱Ａに営巣する期間を待つ必要がなくなる。
【００５６】
さらに、上記養蜂箱は、養蜂箱用自動シャッタ構造Ｋを備えることで、上述した蛾の侵入を防ぐことができ、また、ミツバチが入った養蜂箱を移動する際には、シャッタ構造を閉塞することで、別途、出入り口をテープ等で閉塞する必要がなくなり、容易に移動することができる効果がある。
【００５７】
なお、養蜂箱の箱本体及び分蜂箱本体は、ミツバチが増えて営巣するスペースが手狭になった場合には、別の箱本体及び別の分蜂箱本体を重ねて複数段の構造で使用してもよい。
【００５８】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００５９】
Ｋ    自動シャッタ構造
Ａ    養蜂箱
Ｂ    分蜂箱
１１  シャッタ本体
１１ａ  本体カバー
１２  シャッタ機構
１３      ガイドレール
１４      シャッタ板
１５        板用孔
１６        突起片
１７      ラック
２０  電気モータ
２０ａ    モータ軸
２１    ピニオン
２２  制御部
２３    タイマー部
２４    モータ制御部
２５ａ    上リミットスイッチ
２５ｂ    上リミットスイッチ
２７  電源部
２８  リレースイッチ
３１  箱本体
３１ａ  側部
３２    上方開口部
３２ａ  段部
３３    下方開口部
３４    出入り口
３５    箱本体用通気孔
３６  箱蓋
３７ａ  蓋左側部
３７ｂ  蓋右側部
３８  箱蓋用通気孔
４１  巣枠
４２  上桟
４３  下桟
４４  左桟
４５  右桟
４６  巣枠用スペーサ
４７  巣枠用桟
５１  載置台
５２    台用天板
５３      通気用天板窓
５４    天板窓用蓋
５５      メッシュ体
５６ａ  台用前板
５６ｂ  台用後板
５６ｃ  台用左板
５６ｄ  台用右板
５７    通気用窓
５８    窓用蓋
６１  分蜂箱本体
６１ａ  段部
６２    出入り口
６３  分蜂箱台
６４  分蜂箱蓋
【図１】
2017108635.tif 000003
【図２】
2017108635.tif 000004
【図３】
2017108635.tif 000005
【図４】
2017108635.tif 000006
【図５】
2017108635.tif 000007
【図６】
2017108635.tif 000008
【図７】
2017108635.tif 000009
【図８】
2017108635.tif 000010
【図９】
2017108635.tif 000011
【図１０】
2017108635.tif 000012
【図１１】
2017108635.tif 000013